【事件の表示】
　特願２００４−２５５５７９号「サッシ」拒絶査定不服審判事件〔平成１８年　３月１６日出願公開、特開２００６−　７０５７７号〕について、次のとおり審決する。
【結　論】
　本件審判の請求は、成り立たない。
【理　由】
第１　手続の経緯  
　本願は，平成１６年９月２日の出願であって，平成２３年５月２日付けで拒絶査定がなされ，これに対し，同年８月１０日に拒絶査定不服審判の請求がなされるとともに，同日付けで手続補正がなされたものである。 
　その後，同年１１月８日付けで，審判請求人に前置報告書の内容を示し意見を求めるための審尋を行ったところ，平成２４年１月１６日付けで回答書が提出されたものである。 
　
  
第２　補正の却下の決定  
［補正の却下の決定の結論］  
　平成２３年８月１０日付けの手続補正を却下する。  
 　 
［理由］ 　 
１　補正の内容 
　平成２３年８月１０日付けの手続補正（以下，「本件補正」という。）は，特許請求の範囲について，補正前（平成２１年１１月３０日付けの手続補正書参照。）の請求項１を，以下のように補正することを含むものである。 
（補正前） 
「【請求項１】
　上枠、下枠及び左右の縦枠からなるサッシ枠と、該サッシ枠内にスライド開閉自在に設けられた障子と、前記サッシ枠内にスライド開閉自在に設けられた少なくとも内外２枚の網戸とを備えたサッシであって、前記網戸は上框、下框及び左右の縦框からなる框組体内に網を張設してなり、隣接する網戸のうちの内網戸の戸先側縦框の先端部に外網戸の両縦框間に位置されて何れか一方の縦框の内側面に引っ掛かることにより網戸を連動させるための引掛け部を設け、前記内網戸の幅寸法が前記外網戸の幅寸法よりも縦框１つ分小さく形成されていることを特徴とするサッシ。」
（補正後）
「【請求項１】
　上枠、下枠及び左右の縦枠からなるサッシ枠と、該サッシ枠内にスライド開閉自在に設けられた障子と、前記サッシ枠内にスライド開閉自在に設けられた少なくとも内外２枚の網戸とを備えたサッシであって、前記網戸は上框、下框及び左右の縦框からなる框組体内の略屋外面位置に網体を張設し、框組体内の屋内側に凹部を形成してなり、隣接する網戸のうちの内網戸の戸先側縦框の先端部の屋外面に外網戸の凹部に入るように両縦框間に位置されて何れか一方の縦框の内側面に引っ掛かることにより網戸を連動させるための引掛け部を戸先側縦框の長手方向に沿って上框と下框の間隔内でリブ状に突設し、内外の網戸は網戸閉鎖時に外網戸の召外框と内網戸の召内框とが屋内外方向に丁度重なり、収納時に収納側の縦框が屋内外方向に揃うようにしたことを特徴とするサッシ。」
　
　
２　補正の適否の判断１
　そこで，上記補正事項について検討すると，少なくとも，補正前の請求項１に係る発明の特定事項の一部である，「前記内網戸の幅寸法が前記外網戸の幅寸法よりも縦框１つ分小さく形成されている」という事項が，補正後削除されており，当該補正は，特許法第１７条の２第４項各号に規定するいずれの事項を目的とするものでもない。
　
　
３　補正の適否の判断２
　さらに，上記補正が特許法第１７条の２第４項第２号の特許請求の範囲の減縮を目的とするものに該当するとした場合，本件補正後の請求項１に記載された発明（以下，「本願補正発明」という。）が，特許出願の際独立して特許を受けることができるものであるか，すなわち，平成１８年法律第５５号改正附則第３条第１項によりなお従前の例によるとされる同法による改正前の特許法第１７条の２第５項において準用する同法第１２６条第５項に規定する要件を満たしているか，についても以下に検討する。
　
３−１　引用刊行物とその記載事項
（１）刊行物１ 
　原査定の拒絶の理由に引用され，本願出願前に頒布された刊行物である，特開２０００−１１０４６５号公報（以下，「刊行物１」という。）には，図面とともに，次の記載がある。
（１ａ）「【請求項１】　省略。
【請求項２】　親扉及び子扉（あるいは嵌め殺し障子）からなる玄関ドアの開口部に装着する玄関用網戸装置において、上レール及び下レールをそれぞれ備えた上枠部材及び下枠部材、並びに左右の縦枠部材からなる矩形状の網戸装置枠と、該網戸装置枠の前記上下レールに建付けられた引き戸式網戸からなり、前記左右の縦枠部材の内、子扉側にある縦枠部材は吹かしパネルを備え、前記網戸はｎ（ｎは３以上の自然数）枚の分割網戸からなり、前記上下レールは該ｎ枚の分割網戸を並行に案内可能であり、前記ｎ枚の分割網戸は、子扉の内側に互いに並置された状態から、前記開口部の幅方向に召し合い縦列した最大伸長状態までの間でスライド可能であり、前記ｎ枚の分割網戸の各々の幅は、前記子扉の幅よりも狭く、しかも前記ｎ枚の分割網戸の各々の幅寸法の合計から前記ｎ枚の分割網戸同士の召し合わせ(重なり)部分の幅寸法を引いた前記ｎ枚の分割網戸の最大伸張幅寸法が、前記親扉の幅寸法よりも大であり、前記吹かしパネルの幅寸法は、前記開口部の幅寸法から前記最大伸張幅寸法を引いた大きさで、かつ前記子扉の幅寸法よりも小さいことを特徴とする玄関用スライド式網戸装置。
【請求項３】　前記吹かしパネルが前記開口部の子扉側端部に固定されており、前記ｎ枚の分割網戸の各々は前後に縦框を有し、一番内側にある１枚目の分割網戸の前側縦框が前記親扉側の縦枠部材に当接したとき、残りの各分割網戸が召し合わせをもって前記開口部の幅方向に縦列し、全分割網戸で前記最大伸張幅寸法分だけ前記開口部を覆い、かつ、前記１枚目の分割網戸を前記開口部の子扉側へスライドさせるとき、前記吹かしパネルの背後に全ての分割網戸が重なり合って収納されるように、前記１枚目の分割網戸には、残りの分割網戸に係合して前記開口部の子扉側へスライドさせるための押込用突起部が設けられていることを特徴とする請求項２記載の玄関用スライド式網戸装置。
【請求項４】　省略。
【請求項５】　前記ｎ枚目の分割網戸の前側縦框を該網戸内側にコ字型連結片を配した召しあわせ框とし、（ｎ−１）枚目から２枚目迄の前後の縦框をそれぞれ該網戸内側及び外側にコ字型連結片を配した召しあわせ框とし、前記１枚目の分割網戸の後側縦框を該網戸外側にコ字型連結片を配した召しあわせ框とし、前記１枚目の分割網戸が親扉側へ移動した時に、該各分割網戸の後側召しあわせ框のコ字型連結片がその外側の網戸の前側召しあわせ框のコ字型連結片と互いに係合して順次前方向にスライドされることを特徴とする請求項２乃至４のいずれか一つに記載の玄関用スライド式網戸装置。
【請求項６】〜【請求項９】　省略。」
　
（１ｂ）「【０００１】
【発明の属する技術分野】本発明は、分割網戸をスライドさせて開閉するスライド式網戸装置に関し、特に玄関の出入り口に後付けするための玄関用スライド式網戸装置に関するものである。」
　
（１ｃ）「【００１６】
【発明の実施の形態】以下、本発明に係るスライド式網戸装置の一実施の形態について図面を参照して詳細に説明する。図１は玄関内側から見た本発明に係るスライド式網戸装置の全体構成を示した図であって網戸及び吹かしパネルで玄関開口部全部を塞いだ状態を示した図である。図１に示すように本発明のスライド式網戸装置は、吹かしパネル４を含む網戸装置の外枠１０と３枚の分割網戸で構成されている。親扉１４及び子扉１５（図２参照）からなる玄関ドアの開口部にはそれぞれ３枚の網戸を並行に案内可能な上レール及び下レールをそれぞれ備えた上枠１及び下枠２、並びに左右の縦枠３からなる矩形状の外枠１０が設けられている。向かって右側（子扉側）の縦枠３は吹かしパネル４として機能している。
【００１７】図２は３枚の分割網戸１１，１２，１３の最大伸長時における状態、すなわち玄関ドア開口部を全ての分割網戸で塞いだ状態を示した横断面図である。図２において、最も内側にあり、伸長状態で最も親扉側にある１枚目の分割網戸１１は、上框５、下框７、縦框８、召し合わせ框９ｂからなる網戸枠を中框６で区切りその上下両枠にそれぞれネット１８を取り付けて形成されている。尚、１枚目の分割網戸１１の召し合わせ框９ｂは子扉１５側に設けられている。最も外側にあり、伸長状態で最も子扉側にある３枚目の分割網戸１３は、上框５、下框７、縦框８、召し合わせ框９ａからなる網戸枠を中框６で区切りその上下両枠にそれぞれネット１８を取り付けて形成されている。尚、３枚目の分割網戸１３の召し合わせ框９ａは１枚目の分割網戸１１とは逆に親扉１４側に設けられている。２枚目の分割網戸１２は上框５、下框７、左右の召し合わせ框９ａ，９ｂからなる網戸枠を中框６で区切りその上下両枠にそれぞれネット１８を取り付けて形成されている。
【００１８】３枚の分割網戸１１，１２，１３は、子扉１５の内側に互いに並置された状態から、前記開口部の幅方向に召し合い縦列した最大伸長状態までの間でスライド可能である。３枚の分割網戸１１，１２，１３の各々の幅は、子扉１５の幅よりも狭く、しかも３枚の分割網戸１１，１２，１３の各々の幅寸法の合計から３枚の分割網戸同士の召し合わせ(重なり)部分の幅寸法を引いた３枚の分割網戸の最大伸張幅寸法が、親扉１４の幅寸法よりも大である。吹かしパネル４の幅寸法は、前記開口部の幅寸法から前記最大伸張幅寸法を引いた大きさで、かつ子扉１５の幅寸法よりも小さい。
【００１９】吹かしパネル４が前記開口部の子扉１５側端部に固定されており、最も内側にあり、最大伸長状態で最も親扉１４側にある１枚目の分割網戸１１が親扉１４側の縦枠３に当接したとき、残りの各分割網戸が一部重なった状態、すなわち召し合わせをもって前記開口部の幅方向に縦列し、全分割網戸で前記最大伸張幅寸法分だけ前記開口部を覆い、かつ、１枚目の分割網戸１１を前記開口部の子扉１５側へスライドさせると、吹かしパネル４の背後に全ての分割網戸１１，１２，１３が重なり合って収納される。１枚目の分割網戸１１には、その厚み方向に、かつ玄関外側に向かって、残りの分割網戸１２，１３に係合して前記開口部の子扉１５側へスライドさせるための押込用突起部１６が設けられている。押込用突起部１６は３枚目の分割網戸１３の親扉１４側端部から子扉１５側に向かって所定の距離をもって取り付けられている。これは重なって収納された３枚の分割網戸を親扉１４側へスライドさせたとき、１枚目の分割網戸１１の縦框８の内側及び外側に手を掛けるための引き込み操作部を形成するスペースをとるためである。
【００２０】以下、召し合わせ框９ａ，９ｂの構造について図２及び図５を参照して具体的に説明する。図５は召し合わせ框９ａ，９ｂの構造を示した部分拡大図である。図５に示すように、１枚目の分割網戸１１の子扉１５側の召しあわせ框９ｂにはコ字型連結片９ｃが長手方向に沿って設けられている。２枚目の分割網戸１２の親扉１４側及び子扉１５側の召しあわせ框９ａ，９ｂにはそれぞれコ字型連結片９ｃが長手方向に沿って設けられている。３枚目の分割網戸１３の親扉１４側の召しあわせ框９ａにはコ字型連結片９ｃが長手方向に沿って設けられている。・・・」
　
（１ｄ）「【００２２】１枚目の分割網戸１１を親扉１４側へスライドさせると、１枚目の分割網戸１１のコ字型連結片９ｂが２枚目の分割網戸１２の親扉１４側のコ字型連結片９ａに係合して２枚目の分割網戸１２も親扉１４側へスライドし、さらに２枚目の分割網戸１２の子扉１５側のコ字型連結片９ｂが３枚目の分割網戸１３の親扉１４側のコ字型連結片９ａに係合して３枚目の分割網戸１３も親扉１４側へスライドする。」
　
（１ｅ）「【００２４】次に、図３を参照して吹かしパネル４の背後で全ての分割網戸１１，１２，１３が重なって収納された状態について説明する。図３は吹かしパネル４の背後で全ての分割網戸１１，１２，１３が重なって収納された状態を示した図である。図２の玄関ドア開口部を全ての分割網戸１１，１２，１３で塞いだ状態において、まず１枚目の分割網戸１１の引き込み操作部に手を掛けて、１枚目の分割網戸１１を子扉１５側へ押し込むようにスライドさせると押込用突起部１６が２枚目の分割網戸１２の親扉１４側の召し合わせ框９ａの側面を押し込んで２枚目の分割網戸１２をスライドさせる。さらに１枚目の分割網戸１１を子扉１５側へスライドさせると２枚目の分割網戸１２の親扉１４側の召し合わせ框９ａの側面を押し込むと共に３枚目の分割網戸１３の親扉１４側の召し合わせ框９ａの側面をも押し込んで２枚目及び３枚目の分割網戸１２，１３をスライドさせる。そのまま押し込み続けると、２枚目及び３枚目の分割網戸１２及び１３にそれぞれ設けられた召し合わせ框９ｂ及び縦框８の側面が吹かしパネル４に当接してスライドが終了する。このスライド終了時に重なって収納された状態を示したのが図３である。」
　
（１ｆ）「【００３０】
【発明の効果】本発明のスライド式網戸装置によれば、吹かしパネルとスライド自在の３枚の分割網戸で玄関ドア開口部を塞ぐので、分割網戸一枚分の幅を小さくすることができ、もって収納時における重なり合った３枚の分割網戸の幅、すなわち２枚目及び３枚目の分割網戸の幅と１枚目の分割網戸のはみ出している部分の長さの合計が子扉の幅とほぼ同じとすることができる。したがって、収納時においても玄関ドアの内側の取っ手を握ることができ、玄関ドアの開閉ができると共に、堅牢な構造をもち、しかもスライド式であるので玄関ドア内側にスペースがない場合でも後付け可能である。」
　
（１ｇ）上記記載事項（１ｃ）を参照して図２乃至４を見ると，網戸枠内の略屋内面位置にネット１８を取り付け，網戸枠内の屋外側に凹部が形成されていることが図示されており，また，押込用突起部１６は，最も内側にある分割網戸１１の縦框８に設けられていることが図示されている。
　
　これら記載事項（１ａ）乃至（１ｇ）及び図面の記載から，刊行物１には，次の発明が記載されているものと認められる。
　「玄関開口部と，該開口部に装着された親扉及び子扉（あるいは嵌め殺し障子）からなる玄関ドアと，該開口部の内側に装着する玄関用網戸装置とからなる玄関用建具であって，上記玄関用網戸装置は，上レール及び下レールをそれぞれ備えた上枠部材及び下枠部材，並びに左右の縦枠部材からなる矩形状の網戸装置枠と，該網戸装置枠の前記上下レールに案内されスライド可能である引き戸式の３枚の分割網戸からなり，前記３枚の分割網戸は，互いに並置され重なり合って収納された状態から，前記開口部の幅方向に並行に案内されて，召し合い縦列した最大伸長状態，すなわち玄関ドア開口部全部を分割網戸で塞いだ状態までの間でスライド可能であり，各分割網戸は，上框，下框及び左右の框（縦框もしくは召し合わせ框）からなる網戸枠内の略屋内面位置にネットを取り付け，網戸枠内の屋外側に凹部が形成されており，分割網戸で開口部全部を塞いだ状態のとき，各網戸の屋内外方向に丁度重なる召し合わせ框の対向面には，コ字型連結片が長手方向に沿って対向して設けられていて，収納された状態から開口部全部を塞いだ状態まで最も内側にある分割網戸をスライドさせる際，該コ字型連結片の係合により他の分割網戸を連動させ，また，該分割網戸の縦框には，玄関外側に向かって押込用突起部が設けられていて，塞いだ状態から収納された状態へ該分割網戸をスライドさせる際，該押込用突起部が他の分割網戸の召し合わせ框の側面を押し込んで連動させるようにした玄関用建具。」（以下，「刊行物１記載の発明」という。）
　
（２）刊行物２
　原査定の拒絶の理由に引用され，本願出願前に頒布された刊行物である，実願昭５３−１２０９２５号（実開昭５５−３７９３３号）のマイクロフィルム（以下，「刊行物２」という。）には，図面とともに，次の記載がある。
（２ａ）「鴨居（２）、敷居（３）、左右の側枠柱（１ａ）（１ｂ）よりなる方形外枠（１）、該外枠（１）の左または右側端に固定された袖壁（４）、および上記鴨居（２）敷居（３）間にそれぞれ走行可能に嵌合した２枚の引き戸（６）、（７）より構成され、上記袖壁（４）および上記２枚の引き戸はそれぞれ上記外枠（１）枠柱間隔（ｄ）のほぼ１／３の幅を有し、上記引き戸（６）は、引き戸（７）との引き違い側戸枠（６ａ）上に引き戸（７）の両側戸枠（７ａ）（７ａ）のそれぞれ内側に係合し得る係合体（８）を備えたことを特徴とする引き戸セツト。」（実用新案登録請求の範囲）
　
（２ｂ）「上記の２枚の引き戸（６）および（７）は、それぞれ、木材、アルミ等適宜の材料で製作した戸枠（框）（６ａ）（７ａ）と該戸枠に固定したベニヤ板、アルミ板、鉄板などからなる戸板（６ｂ）（７ｂ）から構成されているが、引き戸（６）の、引き戸（７）と引き違いになる側の戸枠（６ａ）の端には、引き戸（７）の両側戸枠（７ａ）（７ａ）のそれぞれ内側に係合し得るごとくした係合体（８）を備えている。該係合体（８）としては、引き違い側戸枠（６ａ）の一箇所乃至全面に設けた適宜のものでよいが、図示のようなＬ字金具を該戸枠（６ａ）の上下に各１個宛設けたもの、あるいは該戸枠（６ａ）の端面に上下に渡つて角板材を固着して構成してもよい。このような係合体を設けたことにより、第４図（イ）のごとく、開放状態にある場合、引き戸（６）の左側戸枠（６ａ）を左向きに引いて移動させると、引き戸（７）との引き違い位置に来た点で係合板（８）は引き戸（７）の左側戸枠（７ａ）に係合し、以後これを引つ張つて遂に外枠（１）の左端に達するから、開放されていた出入り口が両引き戸によつて完全に閉ざされて第１図（第３図（イ））の状態になる。次に引き戸（７）の左端を右向きに押すと、引き戸（７）の左側戸枠（７ａ）は係合金具（８）を介して引き戸（６）を引つ張るから、両引き戸は連係して右に移動し、次に引き戸（６）の左側を右に押して移行させることにより、係合金具（８）は引き戸（７）の右枠（７ａ）に係合して以後共に右行し、遂に両者が袖壁（４）の内に収まつて、出入口左方約２／３は開放され第２図（第４図（イ））の状態になる。」（第４頁第１行〜第５頁第９行）
　
（２ｃ）「戸開き状態のとき２枚の引き戸は１／３幅の袖壁内に収まつて、出入口幅の２／３は開放されるから、出入口幅の利用率が高く、また一方の引き戸を動かすことにより２枚の戸は連動して開閉が行われるため操作は頗る便利である。」（第６頁第１行〜第５行）
　
（２ｄ）上記記載事項（２ａ），（２ｂ）を参照して，第３図（ロ）及び第４図（ロ）をみると，屋内外の関係が明示されていないが，引き戸の使用形態によってどちらを屋内外とするかは適宜選択し得ることから，引き戸６を内戸，引き戸７を外戸とした場合，引き戸６，７は，戸枠（框）６ａ，７ａの略屋外面位置に戸板６ｂ，７ｂを張設し，屋内側には凹部が形成されていて，内戸である引き戸６の引き違い側戸枠６ａに設けた係合体８が該凹部内に位置し，外戸である引き戸７の両側戸枠７ａの何れか一方の内側面に引っ掛かることにより戸を連動させているといえる。また，第３図（イ），（ロ）をみると，両引き戸６，７閉鎖時には，外戸である引き戸７の左側戸枠７ａと内戸である引き戸６の引き違い側戸枠６ａとが屋内外方向に丁度重なり，第４図（イ），（ロ）をみると，内戸である引き戸６の幅寸法が外戸である引き戸７の幅寸法よりも戸枠１つ分小さく形成されていて，両者が袖壁（４）の内に収まっている時に収納側と反対側の戸枠が屋内外方向に揃っていることが図示されているといえる。
　
（３）刊行物３
　原査定の拒絶の理由に引用され，本願出願前に頒布された刊行物である，実願昭５６−７３８５８号（実開昭５７−１８５８７３号）のマイクロフィルム（以下，「刊行物３」という。）には，図面とともに，次の記載がある。（当審注：刊行物３には，内容に変更のない明細書の浄書である昭和５６年６月１２日付け手続補正書が提示されているので，指摘箇所は，該手続補正書によって表示した。）
（３ａ）「第１図は組立家屋の前面構成部分の要部を分解して示しており、１は下枠、２，３は下枠１の左右端部に立設される隅柱、４はその左右端部を両隅柱２，３の上端部に取付けられる上枠、５は上下枠４，１間に取付けられる間柱、６は右隅柱３と間柱５に取付けられる前壁パネル、７，８は上枠４に前後に齟齬して釣支される吊戸である。」（第２頁第１１行〜第１８行）
　
（３ｂ）「両吊戸７，８は、各々、上面上に一対のローラ３１，３１を片持状に支持させ且つ下面に下方へ開放コ字状のガイド３２を取付けた矩形状のものとされており、第１吊戸７の後面部の左右端部には、後方へ突出状の第１及び第２突出部７ａ，７ｂが形設されており、第２吊戸８の前面部の左端縁部には前方へ折曲状の突部８ａが突設されていると共に後面部の右端部には後方へ突出状の突出部８ｂが形設されている。第１吊戸７は、ガイド３２を下枠１の第１ガイドレール１５に跨がらせた状態で各ローラ３１を上枠４の第１レール２９に載置させることにより、第２吊戸８は、突部８ａを第１吊戸７の両突出部７ａ，７ｂ間に且つ突出部８ｂを間柱５の突部５ａよりも右方側に位置させた状態で、ガイド３２を下枠１の第２ガイドレール１６に跨がらせると共に各ローラ３１を上枠４の第２レール３０に載置させることにより、互に所定の関連性を有しながら左右方向に移動自在に釣支される。」（第８頁第５行〜第９頁第４行）
　
（３ｃ）「以上のような構成であれば、両吊戸７，８によつて組立家屋の入口３４を閉塞させた状態（第３図Ａ状態）から第１吊戸７のみを右方向（矢印方向）へ移動させていくと、第１吊戸７の第１突出部７ａが第２吊戸８の突部８ａに係合して両吊戸７，８が右方側への移動に関して一体化されることになり、したがつてその後は第１吊戸７のみの移動操作によつて、両吊戸７，８が一体的に移動され（同図Ｂ）、間柱５及び前壁パネル６の前面側に重合格納されて前記入口３４が開放される（同図Ｃ）。また逆に入口３４を開放した状態から第１吊戸７を左方向（矢印反対方向）に移動させると、第１吊戸７の第２突出部７ｂが第２吊戸８の突部８ａに係合して、第２吊戸８をも左方向へ移動せしめうる。」（第９頁第１０行〜第１０頁第４行）
　
（３ｄ）「両吊戸７，８が前壁パネル６（及び間柱５）の前面側に重合状に格納されるから、入口３４を可及的に広くでき、且つ前壁パネル６の後面側に格納物を満杯状態に格納したときにも両吊戸７，８の移動操作を支障なく行いうる。」（第１０頁第１４行〜第１９行）
　
（３ｅ）上記記載事項（３ｄ）を参照して第３図をみると，第１吊戸７が外戸，第２吊戸８が内戸であることが明らかであり，また，記載事項（３ｂ）を参照すると，第１吊戸７の屋内側には，両突出部７ａ，７ｂによりその間に凹部が形成されていて，該凹部内に第２吊戸８の突部８ａが位置し，その何れか一方の内側面に引っ掛かることにより戸を連動させていることが，さらに，記載事項（３ｃ）を参照すると，内戸である第２吊戸８の幅寸法が外戸である第１吊戸７の幅寸法よりも突出部１つ分小さく形成されていて，入口３４開放時，両吊戸７，８は，前壁パネル６の前面側に重合格納されて，両吊戸７，８の格納側の突出部７ｂ，８ｂの側面が屋内外方向に揃っていることが図示されている。
　
３−２　補正発明と刊行物１記載の発明との対比  
　補正発明と刊行物１記載の発明とを対比すると，
　刊行物１記載の発明の「上下レールに案内されスライド可能である引き戸式の３枚の分割網戸」が，補正発明の「枠内にスライド開閉自在に設けられた少なくとも内外２枚の網戸」に相当しており，以下同様に，
「上框，下框及び左右の框（縦框もしくは召し合わせ框）からなる網戸枠」が，「上框、下框及び左右の縦框からなる框組体」に，
「ネットを取り付け」が，「網体を張設し」に，
「分割網戸で開口部全部を塞いだ状態のとき，各網戸の屋内外方向に丁度重なる召し合わせ框」が，「内外の網戸は網戸閉鎖時に外網戸の召外框と内網戸の召内框とが屋内外方向に丁度重なり」に，それぞれ相当している。 
　また，刊行物１記載の発明の「玄関用建具」と，補正発明の「サッシ」とは，「建具」で共通しており，以下同様に，
「網戸装置枠」と「サッシ枠」とは，「開口枠」で，
「網戸枠内の略屋内面位置」と「框組体内の略屋外面位置」とは，「框組体内における屋内外方向の略一側位置」で，
「網戸枠内の屋外側」と「框組体内の屋内側」とは，「框組体内における屋内外方向の」略一側に対する「他側」で，
「分割網戸で開口部全部を塞いだ状態のとき，各網戸の屋内外方向に丁度重なる召し合わせ框の対向面には，コ字型連結片が長手方向に沿って対向して設けられていて，収納された状態から開口部全部を塞いだ状態まで最も内側にある分割網戸をスライドさせる際，該コ字型連結片の係合により他の分割網戸を連動させ，また，該分割網戸の縦框には，玄関外側に向かって押込用突起部が設けられていて，塞いだ状態から収納された状態へ該分割網戸をスライドさせる際，該押込用突起部が他の分割網戸の召し合わせ框の側面を押し込んで連動させるようにした」ことと「隣接する網戸のうちの内網戸の戸先側縦框の先端部の屋外面に外網戸の凹部に入るように両縦框間に位置されて何れか一方の縦框の内側面に引っ掛かることにより網戸を連動させるための引掛け部を戸先側縦框の長手方向に沿って上框と下框の間隔内でリブ状に突設し」たこととは，「網戸閉鎖時から収納時，収納時から閉鎖時のいずれの場合も，隣接する網戸を連動させるための連動機構を，縦框の長手方向の上框と下框の間隔内で設け」た点で共通している。
　
 したがって，両者は，以下の点で一致している。
「上枠，下枠及び左右の縦枠からなる開口枠と，該開口枠内にスライド開閉自在に設けられた少なくとも内外２枚の網戸とを備えた建具であって，前記網戸は上框，下框及び左右の縦框からなる框組体内の屋内外面の略一側位置に網体を張設し，框組体内の屋内外方向の他側に凹部を形成してなり，網戸閉鎖時から収納時，収納時から閉鎖時のいずれの場合も，隣接する網戸を連動させるための連動機構を，縦框の長手方向の上框と下框の間隔内で設け，内外の網戸は網戸閉鎖時に外網戸の召外框と内網戸の召内框とが屋内外方向に丁度重なるようにした建具。」
　
　そして，以下の各点で相違している。
（相違点１）
　スライド開閉自在な網戸を備えた建具が，　
補正発明は，上枠，下枠及び左右の縦枠からなるサッシ枠と，該サッシ枠内にスライド開閉自在に設けられた障子と，前記サッシ枠内にスライド開閉自在な網戸とを備えたサッシであるのに対して， 
刊行物１記載の発明は，玄関開口部と，該開口部に装着された親扉及び子扉（あるいは嵌め殺し障子）からなる玄関ドアと，該開口部の内側に装着する玄関用網戸装置とからなる玄関用建具である点。
（相違点２）
　網戸閉鎖時から収納時，収納時から閉鎖時のいずれの場合も，隣接する網戸を連動させるための連動機構として，
補正発明は，框組体内の略屋外面位置に網体を張設し，屋内側に凹部を形成して，隣接する網戸のうちの内網戸の戸先側縦框の先端部の屋外面に外網戸の凹部に入るように両縦框間に位置されて何れか一方の縦框の内側面に引っ掛かることにより網戸を連動させるための引掛け部を戸先側縦框の長手方向に沿って上框と下框の間隔内でリブ状に突設し，収納時に収納側の縦框が屋内外方向に揃うようにしたのに対して，
刊行物１記載の発明は，網戸閉鎖時は，コ字型連結片が係合して網戸がスライドし，収納時は，押込用突起部が網戸の召し合わせ框の側面を押し込んで網戸をスライドさせ，収納時に収納側の框は屋内外方向に揃ってはいない点。
　
３−３　判断
（相違点１について）
　スライド開閉自在な網戸を備えた建具として，上枠，下枠及び左右の縦枠からなるサッシ枠と，該サッシ枠内にスライド開閉自在に設けられた障子と，前記サッシ枠内にスライド開閉自在な網戸とを備えたサッシは，請求人が，本件明細書中に，従来技術の特許文献として提示している実願昭５５−８９０８１号（実開昭５７−１６５９６号）のマイクロフィルムにも記載されている様に，周知の技術にすぎず，刊行物１記載の発明のスライド式の玄関用網戸装置に，該周知のサッシの網戸を適用して，相違点１に係る構成とすることは，当業者が容易に想到し得ることにすぎない。
（相違点２について）
　刊行物２，３のいずれにも，網戸ではないが，枠内にスライド開閉自在に設けられた内外２枚の戸（刊行物２記載の「引き戸（６）及び（７）」，刊行物３記載の「第１吊戸７及び第２吊戸８」）（補正発明の「網戸」に対応。）を備え，開口閉鎖時から収納時，収納時から閉鎖時のいずれの場合も，隣接する戸を連動させるための連動機構を備えた建具が記載されている。そして，刊行物２，３に，該連動機構として，少なくとも外戸（刊行物２記載の「引き戸（７）」，刊行物３記載の「第１吊戸７」）（補正発明の「外網戸」に対応。）の屋内側に凹部が形成されていて，該凹部内に位置し，その何れか一方の内側面に引っ掛かることにより戸を連動させるための部材（刊行物２記載の「（戸枠上下に設けた）Ｌ字金具や（戸枠の端面に上下に渡って固着した）角板材からなる係合体（８）」，刊行物３記載の「（第２吊戸８の前面部の右端縁部に前方へ折曲状に突設されている）突部８ａ」）（補正発明の「引掛け部」に相当。）を，内戸（刊行物２記載の「引き戸（６）」，刊行物３記載の「第２吊戸８」）（補正発明の「内網戸」に対応。）の一側から長手方向に沿って戸の上下の間隔内でリブ状に突設させる技術が記載されているといえる。
　また，刊行物２には，戸枠（框）（６ａ）（７ａ）の略屋外面位置に戸板（６ｂ）（７ｂ）（補正発明の「網体」に対応。）を張設し，屋内側に凹部を形成することが記載されており，さらに，両引き戸（６），（７）閉鎖時には，外戸である引き戸（７）の左側戸枠（７ａ）（補正発明の「召外框」に相当。）と内戸である引き戸（６）の引き違い側戸枠（６ａ）（補正発明の「召内框」に相当。）とが屋内外方向に丁度重なり，内戸である引き戸（６）の幅寸法が外戸である引き戸（７）の幅寸法よりも戸枠（補正発明の「縦框」に相当。）１つ分小さく形成されていて，両者が袖壁（４）の内に収まっている時に収納側と反対側の戸枠が屋内外方向に揃っていることが記載されており，補正発明と揃っている縦框が反対ではあるが，補正発明で「収納時に収納側の縦框が屋内外方向に揃うようにした」のは，揃うように幅寸法を違えて形成するという構成により「収納スペースを小さくできると共に、収納スペースを小さくできる分だけ開口を大きくとれる」（明細書の段落【００１７】，【００２０】参照。）という作用効果を奏するためであり，となると，揃っている縦框が反対の位置であっても，補正発明と同様の作用効果を奏しているといえる。
　さらに，刊行物３の「突部８ａを第２吊戸８の前面部の左端縁部に前方へ折曲状に突設し，格納時に両吊戸７，８の格納側の突出部７ｂ，８ｂの側面が屋内外方向に揃っている」ことは，補正発明の「引掛け部を内網戸の戸先側縦框の先端部の屋外面に長手方向に沿って上框と下框の間隔内でリブ状に突設し，収納時に収納側の縦框が屋内外方向に揃うようにした」ことに相当しており，刊行物２と同様に，揃っている縦框が反対の位置であっても，補正発明と同様の作用効果を奏しているといえる。
　ここで，補正発明において，「スライド開閉自在に設けられた少なくとも２枚の網戸」と，「上枠，下枠及び左右の縦枠からなるサッシ枠と，該サッシ枠内にスライド開閉自在に設けられた障子」との関係は，「サッシ枠内に網戸が設けられている」ことだけであり，該事項は，上記「（相違点１について）」で検討したように，周知の技術にすぎないことを考慮すれば，刊行物１記載の発明のスライド式の玄関用網戸装置を，該周知のサッシの網戸として用いるに際して，刊行物１記載の発明の網戸の連動機構に，上記刊行物２，３記載の戸の連動機構に関する技術を適用し，さらに，刊行物１記載の発明の収納時の縦框の位置関係を，刊行物２，３記載の縦框が屋内外方向に揃うようにする技術事項を採用して，本願発明の相違点２の構成とすることは，当業者が容易に想到し得たことである。
　
　また，補正発明の作用効果は，刊行物１記載の発明，刊行物２，３記載の技術事項及び周知技術から当業者が予測しうる程度のことである。
　
　したがって，補正発明は，刊行物１記載の発明，刊行物２，３記載の技術事項及び周知技術に基づいて当業者が容易に発明をすることができたものであるから，特許法第２９条第２項の規定により特許出願の際独立して特許を受けることができないものである。
　
　
４　補正の却下の決定のむすび 
　以上のように，本件補正は，平成１８年法律第５５号改正附則第３条第１項によりなお従前の例によるとされる同法による改正前の特許法第１７条の２第４項の規定に違反するので，同法第１５９条第１項において読み替えて準用する同法第５３条第１項の規定により却下すべきものである。
　また，そうでないとしても，本件補正は，平成１８年法律第５５号改正附則第３条第１項によりなお従前の例によるとされる同法による改正前の特許法第１７条の２第５項において準用する同法第１２６条第５項に規定する要件を満たしていないものであるから，同法第１５９条第１項において読み替えて準用する同法第５３条第１項の規定により却下すべきものである。
　よって，補正の却下の決定の結論のとおり決定する。
　
　
第３　本願発明
１　本願発明
　平成２３年８月１０日付けの手続補正は却下されたので，本願の請求項１に係る発明は，平成２１年１１月３０日付けで手続補正された特許請求の範囲の請求項１に記載された事項により特定される以下のとおりのものである。
 「上枠、下枠及び左右の縦枠からなるサッシ枠と、該サッシ枠内にスライド開閉自在に設けられた障子と、前記サッシ枠内にスライド開閉自在に設けられた少なくとも内外２枚の網戸とを備えたサッシであって、前記網戸は上框、下框及び左右の縦框からなる框組体内に網を張設してなり、隣接する網戸のうちの内網戸の戸先側縦框の先端部に外網戸の両縦框間に位置されて何れか一方の縦框の内側面に引っ掛かることにより網戸を連動させるための引掛け部を設け、前記内網戸の幅寸法が前記外網戸の幅寸法よりも縦框１つ分小さく形成されていることを特徴とするサッシ。」（以下，「本願発明」という。）
  
　
２　引用刊行物とその記載事項
（１）刊行物１
　原査定の拒絶の理由に引用され，本願出願前に頒布された上記刊行物１には，「第２　３　３−１（１）」に記載したとおりの発明が記載されているものと認められる。
　
（２）刊行物２
　本願出願前に頒布された，上記刊行物２には，「第２　３　３−１（２）」に記載したとおりの事項が記載されているものと認められる。
　
（３）刊行物３
　本願出願前に頒布された，上記刊行物３には，「第２　３　３−１（３）」に記載したとおりの事項が記載されているものと認められる。
　
　
３　対比・判断 
　上記補正が特許法第１７条の２第４項第２号の特許請求の範囲の減縮を目的とするものに該当するとした場合，本願発明は，前記「第２」で検討した補正発明から，限定的に減縮した特定事項を省いたものである。
　そうすると，本願発明を特定するために必要な事項を全て含み，さらに他の事項を付加したものに相当する補正発明が、前記「第２　３　３−３」に記載したとおり，刊行物１記載の発明，刊行物２，３記載の技術事項及び周知技術に基づいて当業者が容易に発明をすることができたものであるから，本願発明も，同様の理由により，刊行物１記載の発明，刊行物２，３記載の技術事項及び周知技術に基づいて当業者が容易に発明をすることができたものであるといえるが，
　上記補正が特許法第１７条の２第４項各号に規定するいずれの事項を目的とするものでもない場合も含め，上記「第２　３」での検討事項に加え，「前記内網戸の幅寸法が前記外網戸の幅寸法よりも縦框１つ分小さく形成されている」という事項について検討する。
　本願発明において，「内網戸の幅寸法が前記外網戸の幅寸法よりも小さく形成されている」のは，明細書の段落【００１７】，【００２０】によれば，収納時に収納側の縦框が揃うように幅寸法を違えて形成して「収納スペースを小さくできると共に、収納スペースを小さくできる分だけ開口を大きくとれる」ためであり，上記「第２　３　３−３（相違点２について）」で検討したように，刊行物２には，内戸である引き戸６の幅寸法が外戸である引き戸７の幅寸法よりも戸枠１つ分小さく形成されていて，両者が袖壁（４）の内に収まっている時に収納側と反対側の戸枠が屋内外方向に揃っていることが記載されており，また，刊行物３には，内戸である第２吊戸８の幅寸法が外戸である第１吊戸７の幅寸法よりも突出部１つ分小さく形成されていて，入口３４開放時，両吊戸７，８は，前壁パネル６の前面側に重合格納されて，両吊戸７，８の格納側の突出部７ｂ，８ｂの側面が屋内外方向に揃っていることが記載されている（記載事項（３ｅ）参照。）。
　すると，刊行物１記載の網戸の幅寸法として，刊行物２，３記載の内戸の幅寸法が外戸より小さい技術事項を採用して，本願発明の内網戸の幅寸法が外網戸の幅寸法よりも小さく形成されている構成とすることは，当業者が容易に想到し得ることである。
　また，本願発明の作用効果は，刊行物１記載の発明，刊行物２，３記載の技術事項及び周知技術から当業者が予測しうる程度のことである。
　したがって，本願発明は，刊行物１記載の発明，刊行物２，３記載の技術事項及び周知技術から当業者が容易に発明をすることができたものである。
　　
４　むすび 
　以上のとおり，本願発明は，刊行物１記載の発明，刊行物２，３記載の技術事項及び周知技術から当業者が容易に発明をすることができたものであり，特許法第２９条第２項の規定により特許を受けることができないから，本願は拒絶されるべきものである。
　よって，結論のとおり審決する。
　
　
　
　なお，請求人は，平成２４年１月１６日付けの回答書において，補正案を提示して，請求項１に係る発明の「収納時に収納側の縦框が屋内外方向に揃うようにした」を「収納時に収納側の縦框が屋内外方向に揃うように前記内網戸の幅寸法が前記外網戸の幅寸法よりも縦框１つ分小さく形成されている」と限定しているが，上記「第２　３　３−３（相違点２について）」及び「第３　３」で検討したとおりであり，補正案の発明によっても，特許を受けることはできない。